(57)【要約】      （修正有）【課題】同一モデルの同一番手の中から振り易いゴルフクラブを選択し、安定した打球及び飛距離の増大に寄与することができるゴルフクラブを提供する。【解決手段】ヘッド重量及びスイングバランスを調整して、シャフトの長さによらず慣性モーメントを２８０．０×１０4〜２８５．０×１０4ｇ・ｃｍ2の範囲に設定し、安定した打球で飛距離を増大させることのできる所望のゴルフクラブを選択する。【選択図】   図１
2006158684.tif 000002
【特許請求の範囲】
【請求項１】
同一モデルの同一番手からなるゴルフクラブにおいて、
シャフトの長さが異なる少なくとも３種類のゴルフクラブの慣性モーメントを略同一に設定することを特徴とするゴルフクラブ。
【請求項２】
請求項１記載のゴルフクラブにおいて、
前記シャフトの長さは、４３インチ（１０９．２ｃｍ）以上であることを特徴とするゴルフクラブ。
【請求項３】
請求項２記載のゴルフクラブにおいて、
前記慣性モーメントは、２８０．０×１０4〜２８５．０×１０4ｇ・ｃｍ2の範囲に設定することを特徴とするゴルフクラブ。
【請求項４】
請求項１〜３のいずれか１項に記載のゴルフクラブにおいて、
前記シャフトが長くなるに従い、ヘッド重量及びスイングバランスが軽くなるように設定することを特徴とするゴルフクラブ。
【発明の詳細な説明】
【技術分野】
【０００１】
本発明は、シャフトの長さが異なる複数種類のゴルフクラブから選択でき、振り易く、飛距離を増大させることのできるゴルフクラブに関する。
【背景技術】
【０００２】
ゴルフクラブ、特にウッド型ゴルフクラブのドライバー（番手＃１）においては、同一モデルの同一番手であっても、シャフトの長さが異なる複数種類のゴルフクラブが提供されており、ゴルファーは、これらの中から自分の体力や好みに合った長さを有するゴルフクラブを選択、購入している。
【０００３】
ゴルフクラブは、一般的に、シャフトの長いゴルフクラブ（以下、長尺ゴルフクラブ）ほど、ヘッドスピードが向上して飛距離が増大するものと考えられるが、長尺ゴルフクラブの場合、振り難さが増大して確実に打球することが難しくなり、その結果として飛距離の増大が望めない場合がある。すなわち、長尺ゴルフクラブを使用して、考え通りに飛距離増大の効果を得られるゴルファーは少なく、多数のゴルファーは、シャフトの長さを異ならせた複数種類の中から、シャフトの短いゴルフクラブを選択せざるを得なかった。これを改善するために、長尺ゴルフクラブの重量を軽くして振り易く構成したものが提案されている（特許文献１参照）。
【０００４】
【特許文献１】特開平１０−１７９８１６号公報
【発明の開示】
【発明が解決しようとする課題】
【０００５】
しかしながら、ゴルフクラブの重量を軽くしたからといって、必ずしも振り易い長尺ゴルフクラブとなるわけではなく、慣性モーメントが大きいと、ゴルフクラブのスイングは困難となる。
【０００６】
本発明は、同一モデルの同一番手の中から振り易いゴルフクラブを選択し、安定した打球及び飛距離の増大に寄与することができるゴルフクラブを提供することを目的とする。
【課題を解決するための手段】
【０００７】
本発明は、同一モデルの同一番手に属し、シャフトの長さが異なる少なくとも３種類を揃えるゴルフクラブにおいて、全てのゴルフクラブの慣性モーメントを略同一に設定することを特徴とする。
【０００８】
本発明に係るゴルフクラブは、同一モデルの同一番手で、シャフトの長さが異なる少なくとも３種類を揃えたものであり、クラブヘッドとしては外観形状が同一のものを使用するが、ヘッド重量は調整できる。ヘッド重量を調整することにより、シャフトの長さが異なるゴルフクラブの慣性モーメントを略同一に設定することができる。
【０００９】
本発明において、ゴルフクラブは、ウッドクラブで番手が１番（＃１）のもの、すなわちドライバーとすることができる。ドライバーの場合、シャフトの長さは、４３．０インチ（１０９．２ｃｍ）以上とすることができ、シャフトの長さを、例えば、２．０インチ（５．０ｃｍ）以上異ならせた種類のものを揃えることが可能である。
【００１０】
シャフトの長さを４３インチ（１０９．２ｃｍ）以上とする場合、ゴルフクラブの慣性モーメントを２８０．０×１０4〜２８５．０×１０4ｇ・ｃｍ2の範囲に設定することができる。このような範囲に設定することにより、多数のゴルファーが振り易いゴルフクラブを提供することができる。
【００１１】
また、本発明においては、シャフトが長くなるに従い、ヘッド重量及びスイングバランスが軽くなるように設定することにより、シャフトの長さが異なる同一モデルの同一番手のゴルフクラブを同様のスイング感覚で振ることができる。
【発明の効果】
【００１２】
本発明によれば、同一モデルの同一番手で、シャフトの長さが異なる少なくとも３種類のゴルフクラブを略同一の慣性モーメントに設定することにより、同一モデルの同一番手のゴルフクラブを同じスイング感覚で振ることができる。従って、ゴルファーは、シャフトの長さが異なるものの中から所望のゴルフクラブを選択することができる。クラブの慣性モーメントが自己の感覚や体力に合った値に設定されていれば、最も振り易いゴルフクラブが得られ、安定した打球及び飛距離の増大効果を得ることができる。
【発明を実施するための最良の形態】
【００１３】
次に、本発明に係るゴルフクラブについて、好適な実施の形態を挙げて説明する。
【００１４】
本実施形態のゴルフクラブは、ドライバーであり、シャフトの長さを４４インチ、４５インチ、４６インチ及び４７インチのように異ならせた種類を揃える。そして、これらの全てのゴルフクラブの慣性モーメントを略同一に設定する。
【００１５】
ここで、シャフトの長さは、ゴルフ規則（付属規則ＩＩ、１ｃ）で規定されている長さである。ウッドとアイアンの長さは、図１に示すように、クラブを水平面の上に置き、水平面に対して角度６０°の面をソールに当て、これら二つの面の交差線Ｐからグリップの上端Ｑまでの距離とされている。ゴルフクラブがドライバーの場合、シャフトの長さＬは４３インチ（１０９．２ｃｍ）以上とすることができ、実施例のように、１インチの長さの増分で４種類以上を揃えることも可能である。長さの増分としては、１インチに限定されるものではなく、０．５インチや０．２５インチであってもよい。また、長さの増分は一定でなくてもよい。
【００１６】
ゴルフクラブの慣性モーメントＩ（ｇ・ｃｍ2）は、クラブ総重量Ｍ（ｇ）と、グリップエンドからクラブの重心までの距離ｈ（ｃｍ）と、グリップエンドを支持したクラブを振り子運動させたときの周期Ｔ（ｓ）を測定して、下記の式（１）により求める。
【００１７】
Ｉ＝Ｔ2Ｍｇｈ／４π2                                        …（１）
（ｇは重力加速度）
また、本実施形態において、「略同一に設定する」というのは、ゴルフクラブの慣性モーメントＩの差を約３．０×１０4ｇ・ｃｍ2以内とするように設定することとする。
【００１８】
本実施形態のドライバーでは、ゴルフクラブの慣性モーメントＩを２８０．０×１０4〜２８５．０×１０4ｇ・ｃｍ2の範囲、例えば、２８３．０×１０4ｇ・ｃｍ2で略同一に設定する。ゴルフクラブの慣性モーメントＩは、ゴルファーの体力に応じた適正値がある。ドライバーの場合、上記した範囲内で設定して多数のゴルファーが振り易いと感じるものとすることができる。ゴルフクラブの慣性モーメントＩが、シャフトの長さに対して小さ過ぎると、ゴルフクラブを安定して振れなくなり、確実に打球できなくなるので、ドライバーの慣性モーメントＩは、２８０．０×１０4ｇ・ｃｍ2以上とするのが好ましい。
【００１９】
本実施形態においては、同一モデルの全てのドライバーの慣性モーメントＩを略同一に設定するため、シャフトの長さが長くなるに従い、ヘッド重量を軽くしている。ヘッド重量を軽くすることにより、ゴルフクラブの慣性モーメントＩを小さくすることができるので、４６インチや４７インチのドライバーの慣性モーメントＩを、４４インチや４５インチのドライバーと略同一にすることができる。また、本実施形態では、シャフトの長さが長くなるに従い、スイングバランスも軽くなるように設定している。
【００２０】
本発明において、ゴルフクラブのヘッド重量やスイングバランスは、特に限定されるものではないが、本実施形態では、ヘッド重量を２３０〜１７０ｇ程度の範囲とし、スイングバランスをＣ６〜Ｄ４程度の範囲としている。
【００２１】
なお、スイングバランスとは、グリップエンド（図１におけるグリップの上端Ｑ）からヘッド側に向かって１４インチの位置を支点として、ゴルフクラブを水平に保持するためにグリップエンドに付加するウエイトの重量を記号化したものであり、Ａ、Ｂ、Ｃ、Ｄ、Ｅという各分類を細分して０．０〜９．９の数字をつけ、記号で表現されているものである。ＡからＥに向かって重くなり、また、数字が大きいほど重くなる。この場合、スイングバランスが重いゴルフクラブほどヘッドスピードが低く、飛距離が減少する。
【００２２】
なお、クラブの慣性モーメントＩは、上記した式（１）により求めるものであり、例えば、クラブ総重量Ｍで調節することができるので、ヘッド重量に限らず、シャフト重量又はグリップ重量を増減して調節することもできる。
【実施例１】
【００２３】
同一モデルの９本のドライバーを作製し、各ドライバーのシャフトの長さ、ヘッド重量、スイングバランス及びクラブ慣性モーメントを表１に示す。９本のドライバーについて、１０名のゴルファーが実打テストで振り易さ及び確実性（打球の確実さ）を評価し、その結果も表１に示す。なお、９本のドライバーのテスト順番はランダムに行った。
【００２４】
【表１】
2006158684.tif 000003
【００２５】
実打テストの結果については、振り易さ、確実性がよいと評価したゴルファーが、７名以上を「○」とし、５〜６名を「△」とし、４名以下を「×」とした。
【００２６】
次に、表１に示すＡ１、Ａ２、Ａ３、Ａ４の４種類を揃えて、実施例のゴルフクラブとし、一方、表１に示すＡ１、Ｂ２、Ｂ３、Ｂ４の４種類を揃えて、比較例１のゴルフクラブとした。４種類から構成される実施例について、上記した実打テストを行った１０名のゴルファーによる実打テストを別に行い、比較例についても同様に行った。
【００２７】
【表２】
2006158684.tif 000004
【００２８】
表２に、実施例及び比較例１についての実打テストの結果、自己の合ったモデルのゴルフクラブと評価した人数を示している。比較例１が、構成種類のゴルフクラブの慣性モーメントが異なっているのに対し、実施例は、全てクラブの慣性モーメントが同一であるので、よい評価が得られている。
【００２９】
また、表２に示すような３種類を揃えた比較例２及び比較例３についても、実打テストを同様に行った。３種類の中の２種類は、ゴルフクラブの慣性モーメントが同一に設定されているものの、残りの１種類（比較例２ではＣ２、比較例３ではＣ３）の慣性モーメントが異なるために、実施例よりも悪い評価しか得られなかった。
【図面の簡単な説明】
【００３０】
【図１】ゴルフクラブのシャフトの長さの説明図である。
【符号の説明】
【００３１】
Ｐ…交差線                    Ｑ…グリップの上端
Ｌ…シャフトの長さ
【図１】
2006158684.tif 000005